(57)【要約】【課題】双方向滑り蓋のコンピュータマウスの提供。【解決手段】本発明は一種の双方向滑り蓋のコンピュータマウスに関わるものである。主に、マウス本体及び滑り蓋モジュールを有する。前記のマウス本体の頂部に第１移動機構、開口部、もう一つの開口部を設け、開口部の内側に内部収容室を形成し、もう一つの開口部の内側に内部収容室を形成する。前記の滑り蓋モジュールはさらに滑り蓋、第２移動機構を設ける。該第２移動機構は滑り蓋上部に取り付けて、該第１移動機構は第１開放位置、第２開放位置、及び閉合位置の間に移動できる。これにより、本発明はマウス頂部に提供する滑り蓋は様々な位置に移動して、選択により内部に収容室を開けて、アクセサリを収納できるほか、公知技術の固定性不足及び美観性課題を解決できる。【選択図】図１
2008059547.tif 000002
【特許請求の範囲】
【請求項１】
マウス本体の頂部に第１移動機構、開口部、もう一つの開口部を設け、開口部の内側に内部収容室を形成し、もう一つの開口部の内側に内部収容室を形成し、
滑り蓋モジュールはさらに滑り蓋、第２移動機構を設け、該第２移動機構は滑り蓋に取り付けて、該第１移動機構は第１開放位置、第２開放位置、及び閉合位置の間に移動でき、
該滑り蓋の第２移動機構は第１移動機構により第１開放位置に移動した後、滑り蓋は開口部を被せて、もう一つの開口部及び該開口部に対応したもう一つの収容室を露出させ、一方、該滑り蓋の第２移動機構により第１移動機構は第２開放位置に移動した後、該滑り蓋はもう一つの開口部を被せて、開口部及び該開口部に対応した内部収容室を露出させ、さらに、該滑り蓋は第２移動機構により、第１移動機構は閉合位置に移動した後、滑り蓋は開口部と、もう一つの開口部を被せることを特徴とする双方向滑り蓋のコンピュータマウス。
【請求項２】
該マウス本体の頂部はさらに組立開口部を凹んで設け、該組立開口部の内部に内部収容室を設けて、該第１移動機構を収容することを特徴とする請求項１記載の双方向滑り蓋のコンピュータマウス。
【請求項３】
該第１移動機構は第１移動機構本体を有し、一つ以上の滑りレール、第１磁気素子、及び取付孔をそれぞれ設け、該一つ以上の滑りレールは該第１移動機構本体の一端に設け、該取付孔は該第１移動機構本体の内部に設けて、該第１磁気素子を収容することを特徴とする請求項２記載の双方向滑り蓋のコンピュータマウス。
【請求項４】
該滑り蓋に二つの雌ねじ山を設け、該第２移動機構は二つの雌ねじ山を設け、該第２移動機構は第２移動機構本体、一つの滑り蓋案内溝、２本のねじ、及び第２磁気素子を有し、該第２移動機構本体に二つの貫通孔を設けるほか、固定孔を設け、該固定孔に該第２磁気素子を収容し、該貫通孔は、該ねじを通して、該滑り蓋案内溝の該雌ねじ山にしめつけ、該一つ以上の双方向滑り蓋案内溝は、該第１移動機構に備える一つ以上の滑りレールに合わせて設けることを特徴とする請求項３記載の双方向滑り蓋のコンピュータマウス。
【請求項５】
該滑り蓋の両側は内側に係止め部をそれぞれ設け、滑り蓋モジュールがマウス本体の頂部は該係止め部により一つ以上の滑りレールに係止めて、一つ以上の滑りレールを一つ以上の滑り蓋案内溝において、自在に摺動することを特徴とする請求項４記載の双方向滑り蓋のコンピュータマウス。
【請求項６】
該第１磁気素子は強力磁石を設けることを特徴とする請求項３記載の双方向滑り蓋のコンピュータマウス。
【請求項７】
該第２磁気素子は強力磁石を設けることを特徴とする請求項４記載の双方向滑り蓋のコンピュータマウス。
【請求項８】
該第１移動機構は回転軸、第１磁気素子を有し、該滑り蓋本体の頂部にはさらに下部固定孔と取付孔を設け、該滑り蓋に三つの固定孔と一つの旋接孔を設け、該第２移動機構に三つの第２磁気素子を有する、該回転軸の一端は該マウス本体に備える該下部固定孔に取付け、該取付孔は該第２磁気素子を収容し、該旋接孔内部に該回転軸の他端と旋接し、該固定孔は該第２磁気素子をそれぞれ収容することを特徴とする請求項１記載の双方向滑り蓋のコンピュータマウス。
【請求項９】
該マウス本体の頂部に、係止め塊を突き出して設け、滑り蓋の一端は内側に係止め部を設けて、滑り蓋モジュールをマウス本体の頂部において、係止め部により係止め突起塊を係止めて、滑り蓋が回転軸を中心に特定の旋回角度の回転を制限できることを特徴とする請求項８記載の双方向滑り蓋のコンピュータマウス。
【請求項１０】
該第１磁気素子は強力磁石を設けることを特徴とする請求項８記載の双方向滑り蓋のコンピュータマウス。
【請求項１１】
該第２磁気素子は強力磁石を設けることを特徴とする請求項８記載の双方向滑り蓋のコンピュータマウス。
【発明の詳細な説明】
【技術分野】
【０００１】
本発明は双方向滑り蓋のマウス、特に一種のマウス頂部の滑り蓋を選択により、各内部収容室を開放し、アクセサリ収納できる双方向滑り蓋のコンピュータマウスに関わるものである。
【背景技術】
【０００２】
無線技術の普及につれて、各種の科学技術製品も無線技術をキャッチフレーズとして、消費者を引きつけて、製品購入を促している。コンピュータ周辺装置のマウスは操作が極めて便利のため、コンピュータ利用者のコンピュータとの主な連絡手段に使われている。しかしながら、マウス制御技術が成熟化した現在、マウスの利便性をより向上させることは、マウス技術発展の重要課題となった。
【０００３】
市販中の携帯式マウスは、主に有線方式と無線方式の２種類に分類できる。通常、有線方式の携帯式マウスは、自動または手動捲線方式によりコードをマウス外部または内部に収容する。さらに、無線方式の携帯式マウスは、電池と受信機を携帯する必要がある。しかし、利用者は無線方式の携帯式マウスの場合、電池及び/又は受信機を置き忘れたとき、マウスを使用することができなくなり不便感を与える。
【０００４】
現在、すでに数種類の受信機をマウスと結合された製品が販売されタイル。一例として、受信機をマウスの底部に収容するか、またはマウスに備えた溝に挿入して使用する。しかしながら、それらの受信機とマウスとの結合方式は、固定不良の問題が残る。また、マウスの外観に一体化感覚を欠ける。このため、前記した公知技術は理想と言えない。
【発明の開示】
【発明が解決しようとする課題】
【０００５】
本発明は一種の双方向滑り蓋のコンピュータマウスに関わるものである。主に、マウス本体及び滑り蓋モジュールを有する。前記のマウス本体の頂部に第１移動機構、開口部、もう一つの開口部を設け、開口部の内側に内部収容室を形成し、もう一つの開口部の内側に内部収容室を形成する。前記の滑り蓋モジュールはさらに滑り蓋、第２移動機構を設ける。該第２移動機構は滑り蓋に取り付けて、該第１移動機構は第１開放位置、第２開放位置、及び閉合位置の間に移動できる。
【０００６】
前記の構成要素により、滑り蓋の第２移動機構は第１移動機構により第１開放位置に移動した後、滑り蓋は開口部を被せて、もう一つの開口部及び該開口部に対応した内部収容室を露出させる。一方、滑り蓋の第２移動機構により第１移動機構は第２開放位置に移動した後、滑り蓋はもう一つの開口部を被せて、開口部及び該開口部に対応した内部収容室を露出させる。さらに、滑り蓋は第２移動機構により、第１移動機構は閉合位置に移動した後、滑り蓋は開口部ともう一つの開口部を被せる。これにより、本発明はマウス頂部に提供する滑り蓋は様々な位置に移動して、選択により内部に収容室を開けて、アクセサリを収納できるほか、公知技術の固定性不足及び美観性課題を解決できる。
【０００７】
前記したとおり、本発明の双方向滑り蓋のコンピュータマウスはマウス本体の頂部に組立開口部を凹んで設け、その内部に内部収容室を形成し、第１移動機構を取り付ける。
【０００８】
本発明の双方向滑り蓋のコンピュータマウスの第１移動機構は、第１移動機構本体、一つ以上の滑りレール、第１磁気素子、及び取付孔より構成する。そのうち、一つ以上の滑りレールを該第１移動機構本体の一端に設け、取付孔は第１移動機構本体内部に設けて、第１磁気素子を収容する。
【０００９】
本発明の双方向滑り蓋のコンピュータマウスの滑り蓋は二つの雌ねじ山を設け、第２移動機構に第２移動機構本体を備え、双方向滑り蓋案内溝、２本のねじ、及び第２磁気素子を設ける。そのうち、第２移動機構本体に二つの貫通孔を設け、固定孔を設ける。該固定孔に第２磁気素子を設け、二つの貫通孔に２本のねじを通して、滑り蓋に備える二つの雌ねじ山に締めつける。一つ以上の双方向滑り蓋案内溝を第１移動機構に備える一つ以上の滑りレールで移動可能にして取り付ける。
【００１０】
本発明の双方向滑り蓋のコンピュータマウスの滑り蓋両側は、内側に係止め部をそれぞれ設け、滑り蓋モジュールがマウス本体の頂部は、該係止め部により一つ以上の滑りレールに係止めて、一つ以上の滑りレールを一つ以上の滑り蓋案内溝において、自在に摺動することが好ましい。
【００１１】
本発明の双方向滑り蓋のコンピュータマウスの第２磁気素子は強力磁石を設けることが好ましい。ただし、一般の磁石又は同等効果の磁気素子を設けることもできる。
【００１２】
本発明の双方向滑り蓋のコンピュータマウスの第１移動機構に回転軸、第１磁気素子、マウス本体の頂部はさらに下部固定孔と取付孔を設ける。滑り蓋に三つの固定孔、一つの枢支孔を設け、第２移動機構に三つの第２磁気素子を設ける。そのうち、回転軸の一端はマウス本体の下部固定孔に取り付けて、取付孔に第１磁気素子を取り付ける。枢支孔の他端に回転軸の他端を設ける。三つの固定孔に三つの第２磁気素子をそれぞれ収容する。
【００１３】
本発明の双方向滑り蓋のコンピュータマウスのマウス本体の頂部に係止め塊を突き出して設け、滑り蓋の一端は内側に係止め部を設けて、滑り蓋モジュールをマウス本体の頂部において、係止め部により係止め突起塊を係止めて、滑り蓋が回転軸を中心に特定の旋回角度範囲に旋転する。
【００１４】
本発明の双方向滑り蓋のコンピュータマウスの第１磁気素子は強力磁石を設けることが好ましい。ただし、一般の磁石又は同等効果の磁気素子を設けることもできる。
【００１５】
本発明の双方向滑り蓋のコンピュータマウスの三つの第２磁気素子は強力磁石を設けることが好ましい。ただし、一般の磁石又は同等効果の磁気素子を設けることもできる。
【課題を解決するための手段】
【００１６】
請求項１の発明は、マウス本体の頂部に第１移動機構、開口部、もう一つの開口部を設け、開口部の内側に内部収容室を形成し、もう一つの開口部の内側に内部収容室を形成し、
滑り蓋モジュールはさらに滑り蓋、第２移動機構を設け、該第２移動機構は滑り蓋に取り付けて、該第１移動機構は第１開放位置、第２開放位置、及び閉合位置の間に移動でき、
該滑り蓋の第２移動機構は第１移動機構により第１開放位置に移動した後、滑り蓋は開口部を被せて、もう一つの開口部及び該開口部に対応したもう一つの収容室を露出させ、一方、該滑り蓋の第２移動機構により第１移動機構は第２開放位置に移動した後、該滑り蓋はもう一つの開口部を被せて、開口部及び該開口部に対応した内部収容室を露出させ、さらに、該滑り蓋は第２移動機構により、第１移動機構は閉合位置に移動した後、滑り蓋は開口部と、もう一つの開口部を被せることを特徴とする双方向滑り蓋のコンピュータマウスとしている。
請求項２の発明は、該マウス本体の頂部はさらに組立開口部を凹んで設け、該組立開口部の内部に内部収容室を設けて、該第１移動機構を収容することを特徴とする請求項１記載の双方向滑り蓋のコンピュータマウスとしている。
請求項３の発明は、該第１移動機構は第１移動機構本体を有し、一つ以上の滑りレール、第１磁気素子、及び取付孔をそれぞれ設け、該一つ以上の滑りレールは該第１移動機構本体の一端に設け、該取付孔は該第１移動機構本体の内部に設けて、該第１磁気素子を収容することを特徴とする請求項２記載の双方向滑り蓋のコンピュータマウスとしている。
請求項４の発明は、該滑り蓋に二つの雌ねじ山を設け、該第２移動機構は二つの雌ねじ山を設け、該第２移動機構は第２移動機構本体、一つの滑り蓋案内溝、２本のねじ、及び第２磁気素子を有し、該第２移動機構本体に二つの貫通孔を設けるほか、固定孔を設け、該固定孔に該第２磁気素子を収容し、該貫通孔は、該ねじを通して、該滑り蓋案内溝の該雌ねじ山にしめつけ、該一つ以上の双方向滑り蓋案内溝は、該第１移動機構に備える一つ以上の滑りレールに合わせて設けることを特徴とする請求項３記載の双方向滑り蓋のコンピュータマウスとしている。
請求項５の発明は、該滑り蓋の両側は内側に係止め部をそれぞれ設け、滑り蓋モジュールがマウス本体の頂部は該係止め部により一つ以上の滑りレールに係止めて、一つ以上の滑りレールを一つ以上の滑り蓋案内溝において、自在に摺動することを特徴とする請求項４記載の双方向滑り蓋のコンピュータマウスとしている。
請求項６の発明は、該第１磁気素子は強力磁石を設けることを特徴とする請求項３記載の双方向滑り蓋のコンピュータマウスとしている。
請求項７の発明は、該第２磁気素子は強力磁石を設けることを特徴とする請求項４記載の双方向滑り蓋のコンピュータマウスとしている。
請求項８の発明は、該第１移動機構は回転軸、第１磁気素子を有し、該滑り蓋本体の頂部にはさらに下部固定孔と取付孔を設け、該滑り蓋に三つの固定孔と一つの旋接孔を設け、該第２移動機構に三つの第２磁気素子を有し、該回転軸の一端は該マウス本体に備える該下部固定孔に取付け、該取付孔は該第２磁気素子を収容し、該旋接孔内部に該回転軸の他端と旋接し、該固定孔は該第２磁気素子をそれぞれ収容することを特徴とする請求項１記載の双方向滑り蓋のコンピュータマウスとしている。
請求項９の発明は、該マウス本体の頂部に、係止め塊を突き出して設け、滑り蓋の一端は内側に係止め部を設けて、滑り蓋モジュールをマウス本体の頂部において、係止め部により係止め突起塊を係止めて、滑り蓋が回転軸を中心に特定の旋回角度の回転を制限できることを特徴とする請求項８記載の双方向滑り蓋のコンピュータマウスとしている。
請求項１０の発明は、該第１磁気素子は強力磁石を設けることを特徴とする請求項８記載の双方向滑り蓋のコンピュータマウスとしている。
請求項１１の発明は、該第２磁気素子は強力磁石を設けることを特徴とする請求項８記載の双方向滑り蓋のコンピュータマウスとしている。
【発明の効果】
【００１７】
本発明は双方向滑り蓋のコンピュータマウス。本発明はマウス頂部に提供する滑り蓋は選択により、それぞれの位置に滑り移動し、そのうち一つの内部収容室を被せるか、又はもう一つの収容室を同時に開放して、それぞれの内部収容室に様々なアクセサリを収容できる。さらに、無線受信機を該内部収容室の大きさに合わせて設けることにより、該無線受信機は該内部収容室へ確実に挿入して、従来の受信機とマウスとの結合不良の欠点を解消できるほか、マウス外部に一体化感覚を実現できる。
【発明を実施するための最良の形態】
【００１８】
図１は、本発明の双方向滑り蓋のコンピュータマウスのマウス分解図である。図１に示すとおり、本発明の双方向滑り蓋のコンピュータマウスは、マウス本体１と滑り蓋モジュール２を有する。
【００１９】
マウス本体１の頂部の第１移動機構１３、開口部１１、もう一つの開口部１２、及び組立開口部１４を凹んで設ける。該開口部１１の内部に内部収容室１１０を設け、もう一つの収容室１２０内部にもう一つの収容室１４０を設ける。組立開口部１４内部に内部収容室１４０を設けて、第１移動機構１３を組み立てる。組立方式は、ねじ締め付けまたは結合による。
【００２０】
第１移動機構１３は第１移動機構本体１３０、二つの滑りレール１３１、一つの第１磁気素子１３２、及び取付孔１３３を備える。そのうち、二つの滑りレール１３１は第１移動機構本体１３０の両端に設け、取付孔１３３は第１移動機構本体１３０内部に設けて、第１磁気素子１３２を粘着により取り付ける。本実施例において、第１磁気素子１３２は強力磁石を使用する。
【００２１】
滑り蓋モジュール２は滑り蓋２１、及び第２移動機構２２を備える。該第２移動機構２２は滑り蓋２１に設ける。
【００２２】
滑り蓋２１に二つの雌ねじ山２１１、２１２を設け、その両端の内側に係止め部２１４、２１５を設ける。
【００２３】
第２移動機構２２は、第２移動機構本体２２０、二つの双方向滑り蓋案内溝２２１、２本のねじ２２３、２２４、及び第２磁気素子２２５を備える。本実施例において、第２磁気素子２２５は強力磁石を使用する。該第２移動機構本体２２０内部に二つの貫通孔２２０１、２２０２を設けるほか、固定孔２２０３を設け、固定孔２２０３は粘着により第２磁気素子２２５を収容する。二つの貫通孔２２０３は２本のねじ２２３、２２４を通して、滑り蓋２１に備える二つの雌ねじ山２１１、２１２により第２移動機構本体２２０を滑り蓋２１に締めつける。二つの滑り蓋案内溝２２１は第１移動機構１３に合わせて二つの滑りレール１３１外部に設けて滑り移動する。滑り蓋モジュール２をマウス本体１の頂部は滑り蓋２１両側の係止め部２１４、２１５により、二つの滑りレール１３１を支えて、二つの滑りレール１３１抜けないように、二つの滑り蓋案内溝２２１にて滑り移動する。
【００２４】
引き続きに図２から４を参照する。図２は本実施例の滑り蓋の第１開放位置、図３は本実施例の滑り蓋の第２開放位置、図４は本実施例の滑り蓋の閉合位置である。図２に示すとおり、滑り蓋２１の第２移動機構２２は第１移動機構１３の移動により、第２移動機構２２のねじ２２４と第１移動機構１３の第１磁気素子１３２と磁気吸着の働きに第１開放位置Ｐ１によって吸着されたとき、滑り蓋２１は開口部１１を被せて、もう一つの開口部１２及びその対応したもう一つの収容室１４０を露出する。さらに、図３に示すとおり、滑り蓋２１は第２移動機構２２により第１移動機構１３にて移動し、第２移動機構２２のねじ２２３は第１移動機構１３の第１磁気素子１３２により磁気吸着され第２開放位置Ｐ２に移動したとき、滑り蓋２１はもう一つの開口部１２を被せる同時に、開口部１１に対応した該内部収容室１１０を露出させる。図４に示すとおり、滑り蓋２１の第２移動機構２２は第一移動機構１３の移動により、第２移動機構２２の第２磁気素子２２５により、第１移動機構１３の第１磁気素子１３２によって吸着され、閉合位置Ｐ０に固定したとき、滑り蓋２１は開口部１１ともう一つの開口部１２を被せる。
【００２５】
本実施例において、滑り蓋モジュール２はマウス本体１頂部の二つの係止め部２１４、２１５により二つの滑りレール１３１を係止めて、二つの滑りレール１３１を二つの双方向滑り蓋案内溝２２１において、左右両側に滑り移動する。このため、滑り蓋２１は第１開放位置Ｐ１移動したとき、二つの滑りレール１３１は係止め部２１４により係止めて、二つの双方向滑り蓋案内溝２２１から抜けない。同じく、第２開放位置Ｐ２も同様である。該二つの滑りレール１３１は二つの滑り蓋案内溝２２１において、前後に滑り移動できる。
【００２６】
図５は本発明の双方向滑り蓋のコンピュータマウスの分解図である。図５に示すとおり、本発明もう一つの双方向滑り蓋のコンピュータマウス実施例は、同じくマウス本体３及び二つの滑り蓋モジュール５を有する。そのうち、マウス本体１の頂部に開口部３１と、もう一つの開口部３２を設け、その内部に内部収容室３１０と、もう一つの収容室３２０を設ける。
【００２７】
異なるところは、マウス本体３の頂部に下部固定孔３０と、及び取付孔３３のほか、係止め突起塊３５を突き出して設ける。第１移動機構３４に回転軸６、及び第１磁気素子３４１を有する。さらに、滑り蓋モジュール５の滑り蓋５１に三つの固定孔５１１、５１２、５１３と、旋接孔５１０を設け、同じ側で内側に係止め部５１４を設け、第２移動機構５２は三つの第２磁気素子５２１、５２２、５２３を設ける。該回転軸６の一端は、マウス本体３の下部固定孔３０に固定し、回転軸６の他端は滑り蓋５１の旋接孔５l０に旋接する。取付孔３３は第１磁気素子３４１を収容し、三つの固定孔５１１、５１２、５１３は三つの第２磁気素子５２１、５２２、５２３をそれぞれ収容する。本発明もう一つの実施例において、第一磁気素子３４１は強力磁石を使用し、三つの第２磁気素子５２１、５２２、５２３も強力磁石を使用する。
【００２８】
引き続きに図６、及び図７を参照する。図６は本発明のもう一つの実施例における滑り蓋の第１開放位置、図７は本発明のもう一つの実施例における滑り蓋の第２開放位置である。図６に示すとおり、滑り蓋５１の第２移動機構５２は第１移動機構３４の移動により、第２移動機構５２の第２磁気素子５２３と第１移動機構３４の第１磁気素子３４１は磁気吸着によって、第１開放位置Ｐ１に固定されたとき、滑り蓋５１は開口部３１を被せて、もう一つの開口部３２とそれに対応したもう一つの収容室３２０を露出させる。図７に示すとおり、滑り蓋５１の第２移動機構５２は第１移動機構３４の移動により、第２移動機構５２の第２磁気素子５２１と第１移動機構３４の第１磁気素子３４１は磁気吸着によって、第２開放位置Ｐ２に固定されたとき、滑り蓋５１はもう一つの開口部３２を被せて、開口部３１とそれに対応したもう一つの収容室３１０を露出させる。本発明のもう一つの実施例の閉合位置Ｐ０の説明内容は前記の実施例に同様のため、説明を省略する。
【００２９】
本発明のもう一つの実施例において、滑り蓋モジュール５はマウス本体３の頂部において、係止め部５１４により係止め突起塊３５に係止められ、滑り蓋５１か回転軸６を中心として、回転角度範囲にて滑り移動する。このため、滑り蓋５１が第１開放位置Ｐ１に移動したとき、マウス本体３頂部の係止め突起塊３５は滑り蓋５１の係止め部５１４によって係止められ、回転を係止める。同じく、第２開放位置Ｐ２も同様である。
【図面の簡単な説明】
【００３０】
【図１】本発明の一つの好ましい実施例の分解図である。
【図２】本発明の一つの好ましい実施例の滑り蓋第１開放位置の概略図である。
【図３】本発明の一つの好ましい実施例の滑り蓋第２開放位置の概略図である。
【図４】本発明の一つの好ましい実施例の滑り蓋閉合位置の概略図である。
【図５】本発明の一つの好ましい実施例の分解図である。
【図６】本発明もう一つの好ましい実施例の滑り蓋における第１開放位置の概略図である。
【図７】本発明もう一つの好ましい実施例の滑り蓋の第２開放位置の概略図である。
【符号の説明】
【００３１】
１、３  マウス本体
２、５  滑り蓋モジュール
１３、３４  第１移動機構
１１、３１  開口部
１２、３２  もう一つの開口部
１４  組立開口部
６  回転軸
１３１  滑りレール
１３２、３４１  第１磁気素子
１３３、３３  取付孔
２１、５１  滑り蓋
２２、５２  第２移動機構
２１１、２１２  雌ねじ山
１３０  第１移動機構
２２０  第２移動機構
２１４、２１５、５１４  係止め部
２２３、２２４  ねじ
２２５、５２１、５２２、５２３  第２磁気素子
２２０１、２２０２  貫通孔
２２０３、５１１、５１２、５１３  固定孔
１１０、１２０、１４０、３１０、３２０  内部収容室
Ｐ０  閉合位置
Ｐ１  第１開放位置
Ｐ２  第２開放位置
３０  下部固定孔
３５  係止め突起塊
５１０  旋接孔
【図１】
2008059547.tif 000003
【図２】
2008059547.tif 000004
【図３】
2008059547.tif 000005
【図４】
2008059547.tif 000006
【図５】
2008059547.tif 000007
【図６】
2008059547.tif 000008
【図７】
2008059547.tif 000009